(57)【要約】【課題】  ディスクや搬送アームが設けられる筺体の上面を保護し、かつ、開放領域を選択することができるスライド構造の開閉可能な保護カバーを備えた自動分析装置を提供する。【解決手段】  本体筺体１０の上面１２に検査機器配置領域１００を設定し、この検査機器配置領域１００に、複数種の試薬を保持する試薬ディスク１２０と、複数の反応セルを有する反応ディスク１１０と、検体や試薬を反応ディスク１１０に搬送するための複数の搬送アーム１３０とを配置し、少なくとも反応ディスク１１０を覆う保護カバー２００を備え、保護カバー２００は、検査機器配置領域１００の両側に設けられる一対の固定保護カバー２１０と、一対の固定保護カバー２１０の間を覆う可動保護カバー２４０とで外部と区分けされた空間を構成し、検査機器配置領域１００の前後に設けられる一対のスライドレール８０が設けられ、このスライドレール８０を介して可動保護カバー２４０を移動可能にする。【選択図】  図１
2010256345.tif 000002
【特許請求の範囲】
【請求項１】
本体筺体の上面に検査機器配置領域を設定し、この検査機器配置領域に、複数種の試薬を保持する試薬ディスクと、複数の反応セルを有する反応ディスクと、検体や試薬を反応ディスクに搬送するための複数の搬送アームとを配置し、少なくとも前記反応ディスクを覆う保護カバーを備えた自動分析装置において、
前記保護カバーは、前記検査機器配置領域の両側に設けられる一対の固定保護カバーと、前記一対の固定保護カバーの間を覆う可動保護カバーとで外部と区分けされた空間を構成し、
前記検査機器配置領域の前後に設けられる一対のスライドレールが設けられ、前記可動保護カバーは、前記スライドレールを移動可能である
ことを特徴とする自動分析装置。
【請求項２】
前記請求項１記載の自動分析装置において、
前記保護カバーは、前記一対のスライドレール上を移動可能な一対の可動保護カバーで構成され、
この一対の可動保護カバーは、開放時に、前記一対の固定保護カバーに重ねて収納される
ことを特徴とする自動分析装置。
【請求項３】
本体筺体の上面に検査機器配置領域を設定し、この検査機器配置領域に、複数種の試薬を保持する試薬ディスクと、複数の反応セルを有する反応ディスクと、検体や試薬を反応ディスクに搬送するための複数の搬送アームとを配置し、少なくとも前記反応ディスクを覆う保護カバーを備えた自動分析装置において、
試薬ディスク蓋で覆われる前記試薬ディスクと、前記反応ディスクとを左右に並べて配置し、
前記保護カバーは、前記反応ディスクの一方の片側である前記試薬ディスク上に側板を持って固定して支持される第１固定保護カバーと、前記反応ディスクの他方の片側に側板を持って固定して支持される第２固定保護カバーと、前記第１固定保護カバーと前記第２固定保護カバーとの間を覆う一対の可動保護カバーとを含んで構成され、
前記可動保護カバーは、第１固定保護カバーにオーバラップして配置される第１可動保護カバーと、前記第２固定保護カバーにオーバラップして配置される第２可動保護カバーとで構成され、
前記第１可動保護カバーと前記第２可動保護カバーは、前記検査機器配置領域の前後に形成される一対のスライドレールを介して両側にスライド可能に移動する構造を備えている
ことを特徴とする自動分析装置。
【請求項４】
前記請求項３記載の自動分析装置において、
前記試薬ディスクの上部を覆う試薬ディスク蓋は、対向した位置に設けられる試薬補給口と試薬取出口とを備え、
前記第１固定保護カバーは前記試薬取出口を内包するように、前記試薬補給口と前記試薬取出口とを仕切るように設けられる
ことを特徴とする自動分析装置。
【請求項５】
前記請求項３記載の自動分析装置において、
前記固定保護カバーの一方は、前記試薬ディスクと前記反応ディスクを仕切るように側板を備えて設けられ、この側板に前記試薬ディスクの試薬を前記反応ディスクに搬送するための搬送アームの動作範囲を確保するための開口部を形成した
ことを特徴とする自動分析装置。
【請求項６】
前記請求項３から５記載のいずれかの自動分析装置において、
前記第１可動保護カバーの横幅は前記第２可動保護カバーの横幅より大きく設定されている
ことを特徴とする自動分析装置。
【請求項７】
前記請求項６記載の自動分析装置において、
前記第１可動保護カバーは、複数のカバーで構成される
ことを特徴とする自動分析装置。
【請求項８】
本体筺体の上面に検査機器配置領域を設定し、この検査機器配置領域に、複数種の試薬を保持する試薬ディスクと、複数の反応セルを有する反応ディスクと、検体や試薬を反応ディスクに搬送するための複数の搬送アームとを配置し、少なくとも前記反応ディスクを覆う保護カバーを備えた自動分析装置において、
前記保護カバーは、一対の固定保護カバーと、前記検査機器配置領域の前後に設けられる一対のスライドレールを介して移動可能な一対の可動保護カバーとで構成し、
前記検査機器配置領域に、左右を分ける基点部を設定し、
この基点部の両側を、前記固定保護カバーと前記可動保護カバーとで覆い、
前記可動保護カバーの横幅寸法を、基点部から前記検査機器配置領域の他方の端部までの長さの１／２の大きさに設定している
ことを特徴とする自動分析装置。
【請求項９】
本体筺体の上面に検査機器配置領域を設定し、この検査機器配置領域に、複数種の試薬を保持する試薬ディスクと、複数の反応セルを有する反応ディスクと、検体や試薬を反応ディスクに搬送するための複数の搬送アームとを配置し、少なくとも前記反応ディスクを覆う保護カバーを備えた自動分析装置において、
前記保護カバーは、一対の固定保護カバーと、前記検査機器配置領域の前後に設けられる一対のスライドレールを介して移動可能な一対の可動保護カバーとで構成し、
前記検査機器配置領域に、左右を分ける基点部を設定し、
この基点部の両側を、前記固定保護カバーと前記可動保護カバーとで覆い、
前記可動保護カバーの横幅寸法を、基点部から自動分析装置の筺体の他方の端部までの長さの１／２の大きさに設定している
ことを特徴とする自動分析装置。
【請求項１０】
前記請求項９記載の自動分析装置において、
前記基点部は、前記試薬ディスクと対向する前記反応ディスク片側に設定される
ことを特徴とする自動分析装置。
【請求項１１】
前記請求項１０記載の自動分析装置において、
試薬ディスク蓋で覆われる前記試薬ディスクと、前記反応ディスクとを左右に並べて配置し、
前記試薬ディスク蓋は、対向した位置に設けられる試薬補給口と試薬取出口とを備え、
前記固定保護カバーの一方は、前記試薬取出口を内包するように、前記試薬補給口と前記試薬取出口とを仕切るように設けられる
ことを特徴とする自動分析装置。
【請求項１２】
前記請求項１０記載の自動分析装置において、
試薬ディスク蓋で覆われる前記試薬ディスクと、前記反応ディスクとを左右に並べて配置し、
前記固定保護カバーの一方は、前記試薬ディスクと前記反応ディスクを仕切るように側板を備えて設けられ、この側板に前記試薬ディスクの試薬を前記反応ディスクに搬送するための搬送アームの動作範囲を確保するための開口部を形成した
ことを特徴とする自動分析装置。
【請求項１３】
本体筺体の上面に検査機器配置領域を設定し、この検査機器配置領域に、複数種の試薬を保持する試薬ディスクと、複数の反応セルを有する反応ディスクと、検体や試薬を反応ディスクに搬送するための複数の搬送アームとを配置し、少なくとも前記反応ディスクを覆う保護カバーを備えた自動分析装置において、
前記検査機器配置領域は、その左右中央に前記反応ディスクが配置され、この反応ディスクの片側に試薬ディスク蓋で覆われる前記試薬ディスクを設け、この反応ディスクの他の片側に前希釈ディスクとＩＳＥ分析部とを前後に設け、
前記保護カバーは、前記試薬ディスク上に側板を持って固定して支持される第１固定保護カバーと、前記反応ディスクの他方の前記検査機器配置領域の端部に側板を持って固定して支持される第２固定保護カバーと、前記第１固定保護カバーと前記第２固定保護カバーとの間を覆う一対の可動保護カバーとを含んで構成され、
前記可動保護カバーは、第１固定保護カバーにオーバラップして配置される第１可動保護カバーと、前記第２固定保護カバーにオーバラップして配置される第２可動保護カバーとで構成され、
前記第１可動保護カバーと前記第２可動保護カバーは、前記検査機器配置領域の前後に形成される一対のスライドレールを介して両側にスライド可能に移動する構造を備え、
前記可動保護カバーの閉鎖時に、前記第１可動保護カバーと前記第２可動保護カバーが接触する基点部を前記反応ディスクとＩＳＥ分析部との間に設定し、
前記第１可動保護カバーと前記第２可動保護カバーの横幅寸法を、基点部から前記検査機器配置領域の端部までの横幅寸法の１／２に設定している
ことを特徴とする自動分析装置。
【請求項１４】
前記請求項１３記載の自動分析装置において、
前記試薬ディスクの上部を覆う試薬ディスク蓋は、対向した位置に設けられる試薬補給口と試薬取出口とを備え、
前記第１固定保護カバーは前記試薬取出口を内包するように、前記試薬補給口と前記試薬取出口とを仕切るように設けられる
ことを特徴とする自動分析装置。
【請求項１５】
前記請求項１３記載の自動分析装置において、
前記固定保護カバーの一方は、前記試薬ディスクと前記反応ディスクを仕切るように側板を備えて設けられ、この側板に前記試薬ディスクの試薬を前記反応ディスクに搬送するための搬送アームの動作範囲を確保するための開口部を形成した
ことを特徴とする自動分析装置。
【発明の詳細な説明】
【技術分野】
【０００１】
本発明は、臨床検査の主に血液，尿などの患者検体を用いた臨床検査自動分析装置に関するものである。
【背景技術】
【０００２】
従来の臨床検査自動分析装置は、筺体の上面に、複数種の試薬を保持する試薬ディスクと、複数の反応セルを有する反応ディスクと、検体や試薬を反応ディスクに搬送するための複数の搬送アームが設けられている。この臨床検査自動分析装置では、搬送装置で提供される検体を、搬送アームを介して、反応ディスクの所定の反応セルに投入し、この投入された検体に対して必要な試薬を前記試薬ディスクから抽出して、これを対応する反応ディスクの反応セルに搬送アームを介して投入する。そして、反応セル内で試薬に対する検体の反応結果を分析する。分析が終了すると、反応セルは洗浄され、再び検体が投入される。
【０００３】
このような自動分析装置では、反応セルの数を多くするために、大きな反応ディスクとなっており、これに対応して試薬の数や量を増やすために、通常２個の試薬ディスクが設けられ、しかも、その大きさも大きなものとなっている。更には、大きなディスク間の検体や試薬の移動のための搬送アームも大きなものが採用されている。
【０００４】
従来技術においては、このディスクや搬送アームが設けられる筺体上面を開閉蓋で覆うものが提案されている。例えば、従来技術では、反応セルを保持する反応ディスクが配置された反応ディスクエリアと、試薬ラックを保持する試薬ディスクが配置された試薬ディスクエリアとに分けられ、それぞれのエリアを覆う反応ディスク開閉蓋、試薬開閉蓋が設けたものが提案されている。この試薬開閉蓋は、通常の使用状態で開くことができないように装置上面に仮止めされている。
【０００５】
また、この従来例では、試薬ディスクは、試薬ラックを同心円状に二重に収納可能であり、試薬ラックを自動投入する機構を備える。装置側面に試薬ラック投入口が設けられると共に、この試薬ラック投入口を覆うように閉じることが可能な試薬トレーを備え、試薬トレーを開いたときの上面には、前記試薬ラック投入口に繋がるように試薬ラック案内溝が設けられている。
【先行技術文献】
【特許文献】
【０００６】
【特許文献１】特開２００３―２６２６４２号公報
【発明の概要】
【発明が解決しようとする課題】
【０００７】
前記従来技術によれば、ディスクや搬送アームが設けられる筺体の上面が使用に対応して、反応ディスクエリアと試薬ディスクエリアとに分割され、それらが独立の開閉蓋によって覆われているから、開放する際は、それぞれを独自に開放することができる。しかし、この従来例においては、２つの開閉蓋は、上面の連結部を介して互いに連結された構造となっている。このため、一方を開放しようとすると、側面に設けた取っ手を介して横からの動作で開閉する構造となっている。即ち、左側の開閉蓋は左端部を上方に持ち上げて他の開閉蓋の上に移動させることで開放させる構造となっている。
【０００８】
このため、開閉蓋を開放した際の開閉蓋の固定や、開閉動作に配慮する必要がある。そして何より、この従来例では、２つのエリアを同時に開放することが考慮されていない。
【０００９】
そこで、この発明の目的とするところは、ディスクや搬送アームが設けられる筺体の上面を保護し、かつ、開放領域を選択することができるスライド構造の開閉可能な保護カバーを備えた自動分析装置を提供することにある。
【課題を解決するための手段】
【００１０】
前記目的を達成するために、この発明に係る自動分析装置は、本体筺体の上面に検査機器配置領域を設定し、この検査機器配置領域に、複数種の試薬を保持する試薬ディスクと、複数の反応セルを有する反応ディスクと、検体や試薬を反応ディスクに搬送するための複数の搬送アームとを配置し、少なくとも前記反応ディスクを覆う保護カバーを備え、前記保護カバーは、前記検査機器配置領域の両側に設けられる一対の固定保護カバーと、前記一対の固定保護カバーの間を覆う可動保護カバーとで外部と区分けされた空間を構成し、前記検査機器配置領域の前後に設けられる一対のスライドレールが設けられ、前記可動保護カバーは、前記スライドレールを移動可能とするようにする。
【発明の効果】
【００１１】
この発明によれば、検査機器配置領域を覆う保護カバーを、その両側に配置される固定保護カバーと、この固定保護カバーの間を覆う一対の可動保護カバーとで構成し、この可動保護カバーをスライド移動可能とすることで固定保護カバーに重ねて収納することができるから、閉鎖時には、検査機器配置領域を閉鎖された空間とて覆い、開放時には、一方の可動保護カバーの開放や、両方の可動保護カバーの開放が可能であり、また、両方の可動保護カバーの開放状態では、両側にコンパクトに収納することができる。
【図面の簡単な説明】
【００１２】
【図１】第１実施例に係る自動分析装置の概観斜視図である。
【図２】第１実施例に係る保護カバーを取り外した状態の自動分析装置の平面図である。
【図３】第１実施例に係る保護カバーの構造図である。
【図４】第１実施例に係る保護カバーの閉鎖時の構造図である。
【図５】第１実施例に係る保護カバーの開放時の構造図である。
【図６】第２実施例に係る自動分析装置の概観斜視図である。
【図７】第３実施例に係る保護カバーの構造図である。
【発明を実施するための形態】
【００１３】
以下、図１から図７を参照して、この発明に係る自動分析装置を具体的に説明する。ここで、図１から図５が第１実施例、図６が第２実施例、図７が第３実施例を示している。なお、同一な部位や矢印は、同一符号をもって示し、重複した説明を省略する。
【実施例１】
【００１４】
先ず、図１を参照して、この発明の第１実施例に係る自動分析装置の概略構造を説明する。ここで、図１は自動分析装置の概観斜視図である。
【００１５】
図１において、符号１で総括的に示すのは、臨床検査の主に血液や尿などの患者検体を用いた臨床検査を行うための自動分析装置である。この自動分析装置１は、その本体筺体１０の内部に、分析装置を構成する図示しない各機器や、これら機器を駆動するための電源、制御機構、恒温槽、洗浄ポンプや、投入された検体ラックを搬送する搬送機構及びその制御機構などが設けられている。これらは、本発明の構成として重要なものではなく、従来技術の場合にも備えられるものであるので、その説明を省略する。
【００１６】
本体筺体１０の上面１１には、凹状の検査機器配置領域１００が設定され、この検査機器配置領域１００の一方の片側に検体投入部５０、他方の片側に検体収納部６０が設けられ、検査機器配置領域１００の後方には検体投入部５０と検体収納部６０とを結ぶ図示しない搬送路７０（図２参照）が内蔵される平面部１２が形成される。
【００１７】
検査機器配置領域１００は、周囲の上面１１より一段低く形成される横長矩形状の大きさを備えており、その中央に複数の反応セルを有する反応ディスク１１０が配置されている。この反応ディスク１１０の左側には、複数種の試薬を保持する第２試薬ディスク１２２と第１試薬ディスク１２１とが前後に配置されている。また、反応ディスク１１０と、第１試薬ディスク１２１及び第２試薬ディスク１２２のそれぞれの間には、試薬を反応ディスクに搬送するための第２搬送アーム１３２、第３搬送アーム１３３が設けられている。また、反応ディスク１１０の右側手前には電解質分析を行なうＩＳＥ分析部（電解質分析部）１４０と、このＩＳＥ分析部１４０の試薬や洗浄液を含むＩＳＥ用試薬部１４５が左右に並べて配置される。
【００１８】
また、反応ディスク１１０の右側後方には前希釈ディスク１５０と、前記搬送路７０から前希釈ディスク１５０に検体を搬送し、またこの前希釈ディスク１５０からＩＳＥ分析部１４０に検体を搬送する第４搬送アーム１３４が設けられている。加えて、反応ディスク１１０の後方には、前希釈ディスク１５０から検体を反応ディスク１１０に搬送するための第１搬送アーム１３１が設けられている。
【００１９】
そして、この実施例に係る自動分析装置１の大きな特徴の１つは、検査機器配置領域１００をスライド構造の保護カバー２００で覆った点にある。
【００２０】
即ち、検査機器配置領域１００には、上方に張り出した複数の搬送アーム１３０が設けられ、これらが反応ディスク１１０や試薬ディスク１２０あるいは搬送路７０との間を搬送動作する。また、この搬送にともなって試薬や検体が反応ディスク１１０や前希釈ディスク１５０に注入されるため、安全性や塵埃除去の観点から検査機器配置領域１００を周囲から隔離することが有効である。従来例では、左右一対の開閉蓋で覆ったものが提案されているが、これは２つの開閉蓋を上面で連結する構造を採用しているため、一方を開放するときには、その開放された開閉蓋が他方の上面に折りたたまれて積層される構造となっている。したがって、これら従来例では、両方の開閉蓋を同時に開放することができない。
【００２１】
そこで、この実施例では、検査機器配置領域１００の両側に固定して支持される一対の固定保護カバー２１０と、この一対の固定保護カバー２１０の間を覆う一対の可動保護カバー２４０とで保護カバー２００を構成する。一対の固定保護カバー２１０を構成する第１固定保護カバー２２０と第２固定保護カバー２３０は、側板を持って構成される。一方、可動保護カバー２４０を構成する第１可動保護カバー２５０と第２可動保護カバー２６０は、固定保護カバー２１０の一部とオーバラップして覆うように設けられ、かつ、検査機器配置領域１００の前後に形成される一対のスライドレール８０を介して両側にスライド可能に移動する構造を備えている。
【００２２】
このように、この特徴によれば、検査機器配置領域１００を覆う保護カバー２００を、その両側に配置される固定保護カバー２１０と、この固定保護カバー２１０の間を覆う一対の可動保護カバー２４０とで構成し、この可動保護カバー２４０をスライド移動可能とすることで固定保護カバー２１０に重ねて収納することができるから、閉鎖時には、検査機器配置領域２１０を閉鎖された空間として覆い、開放時には、一方の可動保護カバー（第１可動保護カバー２５０または第２可動保護カバー２６０）の開放や、両方の可動保護カバー２４０の開放が可能であり、また、両方の可動保護カバー２４０の開放状態では、検査機器配置領域１００の両側に固定保護カバー２１０と可動保護カバー２４０を重ねてコンパクトに収納することができる。
【００２３】
しかも、この構造によれば、自動分析装置１の前後からメンテナンスを行うことができる。特に、この実施例では、検査機器配置領域１００内の後方に前希釈ディスク１５０を備えているので、これらのメンテナンスに有効である。
【００２４】
また、この実施例に係る自動分析装置１の大きな特徴の他の１つは、試薬ディスク１２０を試薬ディスク蓋１２３で覆い、この試薬ディスク蓋１２３の一部を露出するように、試薬ディスク１２０に第１固定保護カバー２２０を設けた点にある。
【００２５】
即ち、試薬ディスク１２０は、試薬を保存するために、恒温槽の構造を備えており、その開放された上部は試薬ディスク蓋１２３で覆われている。本発明者らは、この試薬ディスク１２０が試薬ディスク蓋１２３で覆われていることに着目し、この試薬ディスク蓋１２３で覆われている試薬ディスク１２０の一部を保護カバー２００で保護しない構造とした。
【００２６】
つまり、第２搬送アーム１３２と第３搬送アーム１３３の可動範囲となる試薬ディスク１２０の一部を保護カバー２００で覆う構造とした。これにより、保護カバー２００の全体の大きさを小さくすることができる。また、外部に露出した試薬ディスク蓋１２３には取っ手１２４が設けられている。一方別の形態として当該個所を取っ手ではなく、試薬補給口１２４を設けるようにすることで、保護カバー２００を開放しなくとも、試薬を補給することができる。
【００２７】
そして何より、可動保護カバー２４０の横幅の大きさを小さくすることができるとともに、外部に露出した試薬ディスク蓋１２３の上部空間を、第１可動保護カバー２５０の移動空間として活用することができる。
【００２８】
つまり、一方を側板で構成した第１固定保護カバー２２０は、他方のみが開放された構造となる。このため、横幅を大きくすると、開放された部分から試薬ディスク１２０のメンテナンスを行わなければならない。したがって、第１固定保護カバー２２０の横幅（奥行き）を大きくすることには課題がある。一方、この実施例では、第１固定保護カバー２２０の横幅の課題が少ないので、可動保護カバー２４０の横幅を大きくすることができる。
【００２９】
また、この実施例に係る自動分析装置１の大きな特徴の他の１つは、第１可動保護カバー２５０の横幅Ｗ１を、第２可動保護カバー２６０の横幅Ｗ２より大きく設定した点にある。
【００３０】
即ち、検査機器配置領域１００を覆う保護カバー２００は、閉鎖状態においても、開放状態においても、検査機器配置領域１００の投影面積内に収めないと、装置の大型化に繋がる。特に、この実施例では、検査機器配置領域１００の両側に検体投入部５０と検体収納部６０を配置しているので、例えば、左右に移動させた可動保護カバー２４０が検体投入部５０と検体収納部６０の上に覆いかぶされると、検体投入部５０と検体収納部６０が使えなくなる。特に、この実施例では、検体投入部５０と検体収納部６０に後端部に設けられる連結部を回転軸として開放する開閉蓋２８０を備えているので、この開閉蓋２８０との接触が課題となる。
【００３１】
また、検査機器配置領域１００に配置される機器の中で反応ディスク１１０は重要であり、メンテナンスの際には、この反応ディスク１１０の周辺が大きく開放する必要がある。しかし、検査機器配置領域１００の両側に配置される一対の固定保護カバー２１０と一対の可動保護カバー２４０とで構成されるスライド構造の保護カバー２００を、左右対称な構造とすると、一対の可動保護カバー２４０の結合部（基点部Ｐ１）が検査機器配置領域１００の中央に配置される反応ディスク１１０の上に位置することとなり、前記課題を解決することができない。
【００３２】
そこで、この実施例では、スライド構造の保護カバー２００を左右非対称な構造とすることで、前記課題を解決している。この解決手段は、試薬ディスク１２０上に第１固定保護カバー２２０を設けた特徴と組み合わせることにより、より実現しやすくすることができる。
【００３３】
以下、図２から図５を参照して、この実施例に係る自動分析装置１の特徴的な構成を更に説明する。
【００３４】
先ず、図２を参照して、この自動分析装置１の基本的な動作を説明する。ここで、図２は、保護カバー２００を取り外した状態の自動分析装置１の平面図を示している。
【００３５】
図２において、この自動分析装置１では、検体ラックを左側に設けた検体投入部５０にセットする。この検体投入部５０は、図１で説明したように、後端部に設けた連結部を介して開放可能な開閉蓋２８０（第１開閉蓋２８１）を備えており、この第１開閉蓋２８１を、連結部を回転軸として、後方に開くことにより、凹状の検体投入部５０が露出するので、この凹状の検体投入部５０に検体ラックをセットすることができる。ここで、検体投入部５０は、本体筺体の上面１１の前部に設けてあるので、開放した第１開閉蓋２８１が邪魔になることが軽減されている。
【００３６】
さて、検体投入部５０にセットされた検体ラックは、内部の搬送路７１を介して、後方に搬送され、更に、矢印で示すように、検査機器配置領域１００の後方の搬送路７０を介して、第４搬送アーム１３４の可動範囲に搬送される。ここで、搬送路７０の延長線上の左側には緊急用検体投入部９０が設けてあり、この緊急用検体投入部９０から救急の検体ラックを挿入することができる。また、搬送路７０には救急の検体ラックを先に通すための追い越し用バッファー９１が設けてある。
【００３７】
第４搬送アーム１３４は、搬送された検体ラックの検体を前希釈ディスク１５０またはＩＳＥ分析部に搬送する。第１搬送アーム１３１は前希釈ディスク１５０の検体を反応ディスク１１０の所定の反応セルに分注する。反応ディスク１１０の反応セルに分注された検体には、第２試薬ディスク１２２から第３搬送アーム１３３を介して、あるいは第１試薬ディスク１２１から第２搬送アーム１３２を介して所定の試薬が分注される。そして反応セルの検体に試薬が投入されることにより、その反応が分析される。
【００３８】
ここで、一対の試薬ディスク１２０に取り付けられる試薬ディスク蓋１２３は、搬送アーム１３０の動作範囲側に試薬取出口１２５が設けられ、この試薬取出口１２５と対向する外側に取っ手（または試薬補給口）１２４が設けられる。そして、この試薬取出口１２５と取っ手（または試薬補給口）１２４とを分断するように第１固定保護カバー２２０が取り付けられる。
【００３９】
検査が終了した検体ラックは、搬送路７０、７１を経て検体収納部６０へ搬送される。ここで、検体収納部６０は、検体投入部５０と同様な構造を備えているので、開閉蓋２８０を開放して、検体ラックを取り出すことができる。
【００４０】
また、この実施例では、前後方向に長いＩＳＥ分析部１４０とＩＳＥ用試薬部１４５とを左右に並べて配置し、ＩＳＥ分析部１４０のみ第２固定保護カバー２３０内に収めている。即ち、第２固定保護カバー２３０の前部右側に切欠部２３１を形成することでＩＳＥ用試薬部１４５を露出させているので、保護カバー２００を開放することなくＩＳＥ用試薬部１４５に試薬などを補給することができる。
【００４１】
次に、図３から図５を参照して、保護カバー２００の具体的な構造を更に説明する。ここで、図３は、保護カバー２００の構造図であり、図３（ａ）が部品展開図、図３（ｂ）がスライド機構の前部構造図、図３（ｃ）がスライド機構の後部構造図である。図４は閉鎖時の保護カバー２００の構造図であり、図４（ａ）が平面図、図４（ｂ）が横断面図である。図５は、開放時の保護カバー２００の構造図であり、図５（ａ）が平面図、図５（ｂ）が横断面図である。
【００４２】
図３において、この実施例に係る保護カバー２００は、第１固定保護カバー２２０と第２固定保護カバー２３０からなる一対の固定保護カバー２１０と、この一対の固定保護カバー２１０の間を覆う第１可動保護カバー２５０と第２可動保護カバー２６０からなる一対の可動保護カバー２４０とから構成される。
【００４３】
第１固定保護カバー２２０と第２固定保護カバー２３０は、透明な樹脂材料またはガラスで形成され、それぞれ両側に側壁（側板）２２１を備えている。即ち、一対の固定保護カバー２１０は、前後の一対の側壁２２２と、装置の側壁２２１と天板２２３とを備えた形状としている。なお、第２固定保護カバー２３０は、側壁２２１の前部を切り欠いて切欠部２３１を形成している。また、この実施例では、第１固定保護カバー２２０と第２固定保護カバー２３０を、透明材料で形成しているが、不透明な材料で形成してもよい。この場合、透明窓を設けることで内部の観察ができるようにするとよい。
【００４４】
一方、第１可動保護カバー２５０と第２可動保護カバー２６０とは、透明な樹脂材料またはガラス材料で形成される主構造体２４１と、その端部を保護する一対の縁部材２４２とを含んで構成される。縁部材２４２は樹脂材料で形成され、その前後に開閉ツマミ２４３を設けられている。また、この一対の可動保護カバー２４０は、天板２４４と、前後の側壁２４５を連続して形成した形状としている。
【００４５】
この４つの透明な部材からなる保護カバー２００によれば、検査機器配置領域１００に配置される装置を外部から分離した空間内に収めることができる。
【００４６】
また、図３（ｂ）には、可動保護カバー２４０の前部の側壁２４５に設けられるスライド構造を示している。なお、ここに示すのは一例にすぎず、これに限定されるものではない。
【００４７】
この実施例では、検査機器配置領域１００の前部に溝状の第１スライドレール８１が形成されている。この第１スライドレール８１の溝部８３の内部には、拡張されたレール部８４が形成されている。一方、前部の側壁２４５の下端には、移動方向に沿って複数の車輪８５が設けられている。この構造によれば、車輪８５がレール部８４に沿って移動することで、可動保護カバー２４０をスムーズに移動させることができる。しかも、レール部８４の上部の溝部８３は細くなっているので、可動保護カバー２４０を簡単に取り外せない構造としている。したがって、車輪８５のレール部８４上の移動を阻止する図示しないロック機構を備えることにより、保護カバー２００に鍵をかけることができる。
【００４８】
一方、図３（ｃ）には、可動保護カバー２４０の後部の側壁２４５に設けられるスライド構造を示している。この実施例では、検査機器配置領域１００の後部の背面側に溝状の第２スライドレール８２が形成されている。この第２スライドレール８２の溝部８６は背面側に開放されている。一方、後部の側壁２４５の下端には、移動方向に沿って複数の車輪８５が設けられている。この構造によれば、車輪８５が溝部８６に形成されるレール部８４に沿って移動することで、可動保護カバー２４０をスムーズに移動させることができる。
【００４９】
このように、この実施例では、第１スライドレール８１と第２スライドレール８２とで一対のスライドレール８０を構成し、この一対のスライドレール８０の上を、複数の車輪８５を備えた一対の可動保護カバー２４０が移動する構造を採用している。この開閉構造を図４と図５で更に説明する。
【００５０】
図４において、この実施例では、検査機器配置領域１００の範囲内で可動保護カバー２４０をスライド移動させる構造としている。この構造によれば、両側に他の装置が配置されても、その配置により、可動保護カバー２４０のスライド移動に影響が出ないようにすることができる。そして、一対の可動保護カバー２４０の横幅を設定するに当たり、先ず、第１可動保護カバー２５０と第２可動保護カバー２６０が合わさる基点部Ｐ１を設定する。これにより、基点部Ｐ１の一方の片側（左側）を第１固定保護カバー２２０と第１可動保護カバー２５０で構成し、基点部Ｐ１の他方の片側（右側）を第２固定保護カバー２３０と第２可動保護カバー２６０で構成する。
【００５１】
また、利用頻度の高い反応ディスク１１０を１回の開放操作で露出させるために、基点部Ｐ１を反応ディスク１１０の一方の片側（右側）に設定し、この基点部Ｐ１から検査機器配置領域１００の他方の端部Ｐ８（反応ディスク１１０の他方の端部側）までの横幅ＷＬの１／２の長さを第１可動保護カバー２５０の横幅Ｗ１に設定している。つまり、この横幅Ｗ１の長さを備えた第１可動保護カバー２５０をスライド移動させることにより、基点部Ｐ１から横幅Ｗ１の位置Ｐ２までの範囲を開放することができる。この実施例では、この基点部Ｐ１から位置Ｐ２までの範囲を開放することにより、反応ディスク１１０を最大範囲で露出させることができる。
【００５２】
また、第１固定保護カバー２２０は、位置Ｐ２から検査機器配置領域１００の他方の端部Ｐ８側を覆うように横幅Ｗ３の大きさで形成する。この実施例では、第１固定保護カバー２２０の側壁（側板）２２１の端部位置Ｐ４を、試薬ディスク１２０の上に設定することで、位置Ｐ２から端部位置Ｐ４の範囲の長さ（横幅Ｗ３）を備えた第１固定保護カバー２２０としている。これにより、第１固定保護カバー２２０の大きさを小さくするとともに、保護カバー２００の全体の大きさを小さくしている。
【００５３】
また、この実施例では、第１固定保護カバー２２０を試薬ディスク１２０と重ねて設けることで、第１固定保護カバー２２０の横幅Ｗ３を大きくすることなく、一対の可動保護カバー２４０で覆う範囲（Ｗ１、Ｗ２）を小さくすることができる。これにより、第１可動保護カバー２５０で反応ディスク１１０を覆う非対称な構造を実現している。
【００５４】
一方、第２可動保護カバー２６０の横幅Ｗ２は、基点部Ｐ１から検査機器配置領域１００の一方の端部Ｐ５までの横幅ＷＲの１／２の長さに設定している。したがって、この実施例では、第２固定保護カバー２３０の側壁（側板）２２１を端部Ｐ５に設けているので、第２固定保護カバー２３０の横幅Ｗ４は、第２可動保護カバー２６０の横幅Ｗ２と同様に横幅ＷＲの１／２の長さとなる。
【００５５】
上記横幅の設定は、横幅設定の基本的な考え方を説明したものであって、一対の固定保護カバー２１０横幅Ｗ３とＷ４は一対の可動保護カバー２４０との重ね部分を含めて設定するようにする。
【００５６】
図５において、この実施例によれば、基点部Ｐ１からＰ８に向かって第１可動保護カバー２５０をスライド移動させれば、第１可動保護カバー２５０の横幅Ｗ１（基点部Ｐ１から位置Ｐ６の範囲）を大きく開放することができる。この開放された範囲は、反応ディスク１１０を最大限露出させることができる。しかも、この操作を第１可動保護カバー２５０の１回のスライド動作で開放することができる。一方、基点部Ｐ１からＰ５に向かって第２可動保護カバー２６０をスライド移動させれば、第２可動保護カバー２６０の横幅Ｗ２（基点部Ｐ１から位置Ｐ７の範囲）を大きく開放することができる。
【００５７】
そして、この実施例では、一対の可動保護カバー２４０をそれぞれ単独で開放できるが、両方を同時に開放することにより、横幅Ｗ１とＷ２の連続した範囲（位置Ｐ６から位置Ｐ７）を開放させることができる。しかも、移動させた一対の可動保護カバー２４０は、検査機器配置領域１００の両側に固定設置される一対の固定保護カバー２１０に重ねて収納されるので、邪魔になることが軽減される。
【実施例２】
【００５８】
次に、図６を参照して、第２実施例に係る自動分析装置１ａを説明する。この自動分析装置１ａの大きな特徴の１つは、第１固定保護カバー２２０ａを反応ディスク１１０と試薬ディスク１２０との間に配置した点にある。ここで、（ａ）図は、反応ディスク１１０と試薬ディスク１２０との間を開口部２２２で連通した事例の斜視図、（ｂ）図は（ａ）図の開口部２２２をカバー１２６付きの試薬ディスク蓋１２３で覆った事例の斜視図を示している。なお、第１実施例と同様な内容は省略する。
【００５９】
（ａ）図において、この自動分析装置１ａは、図４に示す横幅Ｗ３を小さくする板状の側壁２２１からなる第１固定保護カバー２２０ａを、反応ディスク１１０と試薬ディスク１２０との間に配置することにより、試薬ディスク１２０を露出させて、試薬ディスク蓋１２３の着脱作業を良好としたものである。
【００６０】
即ち、図４に示すように、前記第１実施例では、試薬ディスク１２０の上に第１固定保護カバー２２０の側壁２２１が設けられる構造とすることにより、試薬取出口１２５と第２搬送アーム１３２と第３搬送アーム１３３の動作範囲を保護カバー２００で覆う構造を採用した。しかし、この実施例では、一方で、試薬ディスク蓋１２３の着脱の際の作業性に課題が残る。そこで、この実施例では、検体の移動範囲のみを保護カバー２００で覆う構造を採用した。
【００６１】
つまり、この第２実施例では、試薬を収めた試薬ディスク１２０を保護カバー２００から露出するように、第１固定保護カバー２２０ａの横幅Ｗ３が小さい板状に形成した。そして、第１固定保護カバー２２０ａに開口部２２２を形成し、第２搬送アーム１３２と第３搬送アーム１３３の動作範囲を確保する構造を採用した。この構造によれば、検体の移動範囲を保護カバー２００で覆うことができるとともに、試薬ディスク蓋１２３の着脱の作業性を改善することができる。ここで、第２搬送アーム１３２と第３搬送アーム１３３の動作範囲が一部露出するが、この露出する部分は起立して形成される第１固定保護カバー２２０ａの近傍であるため、露出することによる課題は少ない。
【００６２】
また、（ｂ）図は、（ａ）図に示す実施例の課題である試薬取出口１２５と第２搬送アーム１３２と第３搬送アーム１３３が露出する点を改良したものである。即ち、この（ｂ）図の事例では、保護カバー２００から露出する第２搬送アーム１３２と第３搬送アーム１３３の動作範囲と試薬取出口１２５を覆うカバー１２６を試薬ディスク蓋１２３に備えたものである。この構造であれば、（ａ）図の作用効果を備えつつ、アームの動作範囲を保護することができる。
【実施例３】
【００６３】
次に、図７を参照して、第３実施例に係る自動分析装置１ｃについて具体的に説明する。ここで、図７は、第３実施例に係る自動分析装置１ｃにおける保護カバー２００の開閉構造を示したものである。
【００６４】
図７において、この第３実施例に係る自動分析装置１ｃは、第２実施例の第１可動保護カバー２５０を一対のカバー２５１，２５２で構成することにより、第１可動保護カバー２５０の収納性を改善したものである。
【００６５】
即ち、図７に示すように、この第３実施例の第１可動保護カバー２５０は、透明な樹脂材料またはガラス材料で形成される主構造体２４１と、その端部を保護する一対の縁部材２４２とを含んで構成される第１カバー２５１と第２カバー２５２とで構成している。この実施例では、第１カバー２５１と第２カバー２５２の横幅Ｗ５と横幅Ｗ６をほぼ同じ大きささとし、更に、第１カバー２５１が第２カバー２５２より一回り大きい構造とている。
【００６６】
また、図示しないスライドレール８０もまた、第１カバー２５１と第２カバー２５２とが図面上の左右方向に移動可能なように、図示しない第１スライドレール８１と第２スライドレール８２をそれぞれ一対備えている。
【００６７】
そして、（ａ）図に示すように、第１可動保護カバー２５０を閉めた状態では、第１カバー２５１の一方の縁部材２４２ａと他方の第２カバー２５２の縁部材２４２ｂとがオーバラップするように形成される。ここで、第１カバー２５１の一方の縁部材２４２ａの接触部は段差形状になっていて、第２カバー２５２の他方の縁部材２４２ｂの内側（左側）に係っている。また、第２カバー２５２の一方の縁部材２４２ｃは第１カバー２５１の一方の縁部材２４２ａより大きく形成される。これにより、第１カバー２５１の一方の縁部材２４２ａは、第２カバー２５２の一対の縁部材２４２ｂ、２４２ｃの間を図示しないスライドレール８０に沿って移動することができる。
【００６８】
この構造によれば、図７（ａ）図に示す、第１可動保護カバー２５０を閉めた状態から、第１カバー２５１を左側に移動することにより、（ｂ）図に示すように、第１カバー２５１のみを移動させて、第２カバー２５２を覆うように重ねて解放することができる。また、（ｃ）図に示すように、第１カバー２５１を更に左側に移動させると、縁部材２４２ａが縁部材２４２ｃに当たるので、第１カバー２５１の移動に伴って、第２カバー２５２も開放することができる。
【００６９】
また、（ｃ）図の状態から第１可動保護カバー２５０を閉める場合は、第１カバー２５１を右側に移動させると、第２カバー２５２を残して第１カバー２５１を右側に移動して（ｄ）図に示すようになる。この状態から更に第１カバー２５１を右側に移動させると、縁部材２４２ａが縁部材２４２ｂに当たるので、第１カバー２５１の移動に伴って、第２カバー２５２も移動するので、もとの（ａ）図の状態に戻すことができる。
【００７０】
このように、この実施例によれば、第１可動保護カバー２５０を閉めた状態では、保護カバー２００を密閉構造とすることができ、また、解放した状態では、第１カバー２５１と第２カバー２５２が重なってコンパクトに収納することができる。そして、この実施例によれば、第１カバー２５１の開閉動作に伴って（連動して）第２カバー２５２の開閉も行うことができる。
〔他の応用例〕
また、前記第１実施例においては、図４において、基点部Ｐ１を反応ディスク１１０の一方の片側（右側）に設定し、この基点部Ｐ１から検査機器配置領域１００の他方の端部Ｐ８（反応ディスク１１０の他方の端部側）までの横幅ＷＬの１／２の長さを第１可動保護カバー２５０の横幅Ｗ１に設定していると説明したが、この横幅ＷＬを基点部Ｐ１から自動分析装置１の他方の端部までとすることができる。この構造によれば、第１可動保護カバー２５０の横幅Ｗ１を長く（大きく）することができる。
【００７１】
また、図６に示すように、スライドレール８０を自動分析装置１の筺体の左右に突き抜ける構造とすることで、このスライドレール８０を移動する可動保護カバー２４０を筺体の左右から着脱することができる。この場合、所定の位置に可動保護カバー２４０の移動を止めるストッパを備えることにより、可動保護カバー２４０の落下を防止することができる。
【００７２】
このように、この実施例に係る自動分析装置は、本体筺体の上面に検査機器配置領域を設定し、この検査機器配置領域に、複数種の試薬を保持する試薬ディスクと、複数の反応セルを有する反応ディスクと、検体や試薬を反応ディスクに搬送するための複数の搬送アームとを配置し、少なくとも前記反応ディスクを覆う保護カバーを備え、前記保護カバーは、前記検査機器配置領域の両側に設けられる一対の固定保護カバーと、前記一対の固定保護カバーの間を覆う可動保護カバーとで外部と区分けされた空間を構成し、前記検査機器配置領域の前後に設けられる一対のスライドレールが設けられ、前記可動保護カバーは、前記スライドレールを移動可能とする。
【００７３】
この場合、前記保護カバーは、前記一対のスライドレール上を移動可能な一対の可動保護カバーで構成され、この一対の可動保護カバーは、開放時に、前記一対の固定保護カバーに重ねて収納する。
【００７４】
また、この実施例に係る他の自動分析装置は、本体筺体の上面に検査機器配置領域を設定し、この検査機器配置領域に、複数種の試薬を保持する試薬ディスクと、複数の反応セルを有する反応ディスクと、検体や試薬を反応ディスクに搬送するための複数の搬送アームとを配置し、少なくとも前記反応ディスクを覆う保護カバーを備え、試薬ディスク蓋で覆われる前記試薬ディスクと、前記反応ディスクとを左右に並べて配置し、前記保護カバーは、前記反応ディスクの一方の片側である前記試薬ディスク上に側板を持って固定して支持される第１固定保護カバーと、前記反応ディスクの他方の片側に側板を持って固定して支持される第２固定保護カバーと、前記第１固定保護カバーと前記第２固定保護カバーとの間を覆う一対の可動保護カバーとを含んで構成され、前記可動保護カバーは、第１固定保護カバーにオーバラップして配置される第１可動保護カバーと、前記第２固定保護カバーにオーバラップして配置される第２可動保護カバーとで構成され、前記第１可動保護カバーと前記第２可動保護カバーは、前記検査機器配置領域の前後に形成される一対のスライドレールを介して両側にスライド可能に移動する構造を備えるようにする。
【００７５】
この場合、前記試薬ディスクの上部を覆う試薬ディスク蓋は、対向した位置に設けられる試薬補給口と試薬取出口とを備え、前記第１固定保護カバーは前記試薬取出口を内包するように、前記試薬補給口と前記試薬取出口とを仕切るように設ける。更に、前記第１可動保護カバーの横幅を前記第２可動保護カバーの横幅より大きく設定する。
【００７６】
また、この実施例に係る他の自動分析装置は、本体筺体の上面に検査機器配置領域を設定し、この検査機器配置領域に、複数種の試薬を保持する試薬ディスクと、複数の反応セルを有する反応ディスクと、検体や試薬を反応ディスクに搬送するための複数の搬送アームとを配置し、少なくとも前記反応ディスクを覆う保護カバーを備え、前記保護カバーは、一対の固定保護カバーと、前記検査機器配置領域の前後に設けられる一対のスライドレールを介して移動可能な一対の可動保護カバーとで構成し、前記検査機器配置領域に、左右を分ける基点部を設定し、この基点部の両側を、前記固定保護カバーと前記可動保護カバーとで覆い、前記可動保護カバーの横幅寸法を、基点部から前記検査機器配置領域の両端部までの長さの１／２の大きさに設定する。
【００７７】
この場合、試薬ディスク蓋で覆われる前記試薬ディスクと、前記反応ディスクとを左右に並べて配置し、前記試薬ディスク蓋は、対向した位置に設けられる試薬補給口と試薬取出口とを備え、前記固定保護カバーの一方は、前記試薬取出口を内包するように、前記試薬補給口と前記試薬取出口とを仕切るように設ける。更に、前記基点部は、前記試薬ディスクと対向する前記反応ディスク片側に設定する。
【００７８】
この実施例に係る他の自動分析装置は、本体筺体の上面に検査機器配置領域を設定し、この検査機器配置領域に、複数種の試薬を保持する試薬ディスクと、複数の反応セルを有する反応ディスクと、検体や試薬を反応ディスクに搬送するための複数の搬送アームとを配置し、少なくとも前記反応ディスクを覆う保護カバーを備え、前記検査機器配置領域は、その左右中央に前記反応ディスクが配置され、この反応ディスクの片側に試薬ディスク蓋で覆われる前記試薬ディスクを設け、この反応ディスクの他の片側に前希釈ディスクとＩＳＥ分析部とを前後に設け、前記保護カバーは、前記試薬ディスク上に側板を持って固定して支持される第１固定保護カバーと、前記反応ディスクの他方の前記検査機器配置領域の端部に側板を持って固定して支持される第２固定保護カバーと、前記第１固定保護カバーと前記第２固定保護カバーとの間を覆う一対の可動保護カバーとを含んで構成され、前記可動保護カバーは、第１固定保護カバーにオーバラップして配置される第１可動保護カバーと、前記第２固定保護カバーにオーバラップして配置される第２可動保護カバーとで構成され、前記第１可動保護カバーと前記第２可動保護カバーは、前記検査機器配置領域の前後に形成される一対のスライドレールを介して両側にスライド可能に移動する構造を備え、前記可動保護カバーの閉鎖時に、前記第１可動保護カバーと前記第２可動保護カバーが接触する基点部を前記反応ディスクとＩＳＥ分析部との間に設定し、前記第１可動保護カバーと前記第２可動保護カバーの横幅寸法を、基点部から前記検査機器配置領域の端部までの横幅寸法の１／２に設定する。
【００７９】
この場合、前記試薬ディスクの上部を覆う試薬ディスク蓋は、対向した位置に設けられる試薬補給口と試薬取出口とを備え、前記第１固定保護カバーは前記試薬取出口を内包するように、前記試薬補給口と前記試薬取出口とを仕切るように設ける。
【００８０】
また、固定保護カバーの一方は、試薬ディスクと反応ディスクを仕切るように側板を備えて形成し、この側板に試薬ディスクの試薬を反応ディスクに搬送するための搬送アームの動作範囲を確保するための開口部を形成するようにしてもよい。
【００８１】
更に、第１可動保護カバーを複数のカバーで構成し、これらを連動構造として、１回の開閉操作で開閉できるようにする。更に、可動保護カバーの横幅寸法を、基点部から自動分析装置の筺体の他方の端部までの長さの１／２の大きさに設定してもよい。
【符号の説明】
【００８２】
１…自動分析装置、１０…本体筺体、５０…検体投入部、６０…検体収納部、８０…スライドレール、８１…第１スライドレール、８２…第２スライドレール、８３…溝部、８４…レール部、８５…車輪、８６…溝部、１００…検査機器配置領域、１１０…反応ディスク、１２０…試薬ディスク、１２１…第１試薬ディスク、１２２…第２試薬ディスク、１２３…試薬ディスク蓋、１２４…取っ手または試薬補給口、１２５…試薬取出口、１２６…カバー、１３０…搬送アーム、１３１…第１搬送アーム、１３２…第２搬送アーム、１３３…第３搬送アーム、１３４…第４搬送アーム、１４０…ＩＳＥ分析部、１４５…ＩＳＥ用試薬部、１５０…前希釈ディスク、２００…保護カバー、２１０…固定保護カバー、２２０…第１固定保護カバー、２２１…側壁（側板）、２２２…開口部、２３０…第２固定保護カバー、２３１…切欠部、２４０…可動保護カバー、２５０…第１可動保護カバー、２６０…第２可動保護カバー、２８０…開閉蓋、２８１…第１開閉蓋、Ｐ１…基点部。
【図１】
2010256345.tif 000003
【図２】
2010256345.tif 000004
【図３】
2010256345.tif 000005
【図４】
2010256345.tif 000006
【図５】
2010256345.tif 000007
【図６】
2010256345.tif 000008
【図７】
2010256345.tif 000009